(57)【要約】【課題】管状の中空部をエア抜きによって潰す際に、よじれの生じない偏平な略帯板状に潰すことができ、目地への目地材挿入作業が容易となる目地材及び目地構造を提供する。【解決手段】目地材１１において、弾性を有する素材からなり中空部２７を有して管状に形成される管本体部２３と、管本体部２３の管内壁面２９から中空部２７に突出して管本体部２３の長手方向に沿って直線状に連続し且つ管内壁面２９の円周方向に離間して複数設けられる内部突条２５と、を設けた。【選択図】  図１
2014145234.tif 000002
【特許請求の範囲】
【請求項１】
弾性を有する素材からなり中空部を有して管状に形成される管本体部と、
前記管本体部の管内壁面から前記中空部に突出して前記管本体部の長手方向に沿って直線状に連続し且つ前記管内壁面の円周方向に離間して複数設けられる内部突条と、  
を具備することを特徴とする目地材。
【請求項２】
請求項１記載の目地材であって、
前記管本体部の外周面に、前記管本体部の長手方向に沿って直線状に連続し且つ前記外周面の円周方向に離間する複数の外部突条が形成されることを特徴とする目地材。
【請求項３】
請求項２記載の目地材であって、
前記管本体部が、
前記外部突条の形成される外周側の外周管壁部と、前記外周管壁部の内周側に一体に設けられ前記内部突条の形成される内周管壁部と、からなり、
前記外周管壁部が水膨張性を有し、前記内周管壁部が非水膨張性を有することを特徴とする目地材。
【請求項４】
請求項１，２，３のいずれか１つに記載の目地材を用いた目地構造であって、
複数のＵ字枠を接続してできた水路の目地の内部奥側より下層樹脂発泡材、前記目地材、上層樹脂発泡材を順に挟入し、
前記目地の開放側にシール材が充填されることを特徴とする目地構造。
【発明の詳細な説明】
【技術分野】
【０００１】
本発明は、Ｕ字枠同士を接続してできた水路の目地をシールする目地材及び目地構造に関する。
【背景技術】
【０００２】
農業用水路等、Ｕ字枠同士を接続してできた水路の目地をシールする目地構造では、充填したシール材のうち、特に表出する部分が経時劣化を起こし、ボリュームが減少したり、表面が後退し凹むなどして、漏水などの不具合を発生させることがある。このような不具合を解消するものとして、例えば特許文献１に開示の目地構造は、目地の内部奥側より樹脂発泡材、水膨張材、樹脂発泡材を順に挟入し、開放側にシール材を充填している。シール材は、目地を挟む隣接Ｕ字枠同士の両縁部を覆い所定厚の両翼部を有する断面Ｔ字状に形成している。
【０００３】
ここで、上記の水膨張材は、中空部を有する管状に形成される。水膨張材は、中空部を変形させることで、変形前の大外径から偏平状態に変形可能となり、目地幅の拡縮に柔軟に対応可能となる。これにより、比較的幅の広い目地であっても、連続する異なる幅を確実に塞ぐことができるようになされている。
【０００４】
水膨張材の目地内への挟入は、中空部を利用して偏平状態に変形させる際、この中空部の一端に栓をして、他端からポンプでエアを抜くことで変形を促す。その状態で偏平となった水膨張材を目地内に挟入し、目地内への装着後にポンプ及び栓を取り除くことで中空部を開放し形状復元を行い、目地内への水膨張材の設置を完了する。
【先行技術文献】
【特許文献】
【０００５】
【特許文献１】特開２０１０−１８９９６５号公報
【発明の概要】
【発明が解決しようとする課題】
【０００６】
上記の目地構造では、水膨張材の目地内への挟入時、水膨張材の中空部の一端を閉塞し、他端からポンプでエアを抜くことで中空部を潰して偏平に変形させ、目地内へ装着後に中空部を開放し形状復元させる。ところが、エア抜きで水膨張材を潰し変形させる際、よじれが起こり、長手方向に連続した偏平状態、すなわち略板状とならず、不連続な螺旋状となることがある。これに対し、中空部の形状を長丸や楕円状としたり、Ｖ字状の細溝を対向面に形成したりすることで、変形方向（潰れ方向）を長手方向に連続する偏平状態とする対策も試みられたが、実際には細溝等による変形促進部分を設けたのみではよじれの発生を確実に抑止することはできなった。また、このよじれは、押出成形品である水膨張材を成形した際の癖、例えば原材料や成型時の諸条件による不均一な内部応力によっても顕著となる。そして、よじれの発生した水膨張材は、目地内に入れにくく、作業性を低下させた。
【０００７】
本発明は上記状況に鑑みてなされたもので、その目的は、管状の中空部をエア抜きによって潰す際に、よじれの生じない偏平な帯板状に潰すことができ、目地への目地材挿入作業が容易となる目地材及び目地構造を提供することにある。
【課題を解決するための手段】
【０００８】
次に、上記の課題を解決するための手段を、実施の形態に対応する図面を参照して説明する。
本発明の請求項１記載の目地材１１は、弾性を有する素材からなり中空部２７を有して管状に形成される管本体部２３と、
前記管本体部２３の管内壁面２９から前記中空部２７に突出して前記管本体部２３の長手方向に沿って直線状に連続し且つ前記管内壁面２９の円周方向に離間して複数設けられる内部突条２５と、
を具備することを特徴とする。
【０００９】
この目地材１１では、中空部２７の一端に栓をして、他端からポンプでエアを抜いて真空引きすることで、管内壁面２９が密着して、管本体部２３が偏平に潰れる。管本体部２３は、ある１か所から、伝播するように連続して偏平に変形する。この際、接近する管内壁面２９は、対向面に設けられている内部突条２５が互いに噛み合って、乗り越えず、滑らずに密着する。つまり、管本体部２３を潰した際に、内部突条同士が引っ掛かって、よじれが抑止される。その結果、管本体部２３は、偏平が伝播し、よじれの無い綺麗な短冊状に変形される。
【００１０】
本発明の請求項２記載の目地材１１は、請求項１記載の目地材１１であって、
前記管本体部２３の外周面３１に、前記管本体部２３の長手方向に沿って直線状に連続し且つ前記外周面３１の円周方向に離間する複数の外部突条３３が形成されることを特徴とする。
【００１１】
この目地材１１では、管本体部２３の外周面３１に、長手方向に沿って連続して形成された外部突条３３が、外周面３１の円周方向に複数設けられていることで、管本体部２３が目地２１に挿入されると、管本体部２３から突出した外部突条３３が目地２１の奥行き方向で複数段で目地内面に密着する。これにより、目地２１内に挟入した後に脱落しにくくなり、また、目地材１１と目地２１との間を通過しようとする水は、障壁となった複数段の外部突条３３によって浸入が阻止されるようになる。
【００１２】
本発明の請求項３記載の目地材１１は、請求項２記載の目地材１１であって、
前記管本体部２３が、
前記外部突条３３の形成される外周側の外周管壁部３５と、前記外周管壁部３５の内周側に一体に設けられ前記内部突条２５の形成される内周管壁部３７と、からなり、
前記外周管壁部３５が水膨張性を有し、前記内周管壁部３７が非水膨張性を有することを特徴とする。
【００１３】
この目地材１１では、外周管壁部３５が水膨張性を有する水膨張材からなることで、目地２１に挿入した目地材１１の外周管壁部３５に水が接すると、外周管壁部３５が吸水によって自己膨張する。これにより、目地２１の変動によって発生した空隙を閉塞して、止水性を高めることができる。また、内周管壁部３７が非水膨張性を有する素材からなることで、水の接触によっても自己膨張せず、偏平に変形時の内部突条同士の安定的な噛み合わせが可能となる。
【００１４】
本発明の請求項４記載の目地構造は、請求項１，２，３のいずれか１つに記載の目地材１１を用いた目地構造であって、
複数のＵ字枠１９を接続してできた水路１３の目地２１の内部奥側より下層樹脂発泡材３９、前記目地材１１、上層樹脂発泡材４１を順に挟入し、
前記目地２１の開放側にシール材４３が充填されることを特徴とする。
【００１５】
この目地構造では、目地材１１が、中空部２７を有する管状に形成されるので、比較的幅の広い目地２１であっても、中空部２７を変形させて目地幅の拡縮に柔軟に対応できる。また、エア抜きにより中空部２７を潰して目地材１１を目地２１に挿入する際、目地材１１がよじれずに綺麗な偏平に変形し、作業性が良い。
【発明の効果】
【００１６】
本発明に係る請求項１記載の目地材によれば、管状の中空部をエア抜きによって潰す際に、よじれの生じない偏平に潰すことができ、その結果、目地への目地材挿入作業を容易にできる。
【００１７】
本発明に係る請求項２記載の目地材によれば、目地材と目地との間で、目地奥行き方向に複数の外部突条が目地に密着し、外部突条が水浸入の障壁となって、止水性が高まる。また、外部突条によって、目地材を目地内に挟入した後の脱落が起こりにくい。
【００１８】
本発明に係る請求項３記載の目地材によれば、目地が開いて水が浸入しても、外周管壁部が吸水膨張による体積増加によって開いた目地を閉塞し、止水機能を向上させることができる。
【００１９】
本発明に係る請求項４記載の目地構造によれば、連続する異なる幅の目地を塞ぐことができる。目地材の挿入作業が容易となる。
【図面の簡単な説明】
【００２０】
【図１】本発明に係る目地材を用いた目地構造の断面図である。
【図２】図１に示した目地構造によって連結された水路の斜視図である。
【図３】図１に示した目地材の断面図である。
【図４】図３に示した目地材の潰れた状態の断面図である。
【図５】目地への目地材の挿入状況を表した斜視図である。
【発明を実施するための形態】
【００２１】
以下、本発明に係る実施形態を図面を参照して説明する。
図１は本発明に係る目地材を用いた目地構造の断面図、図２は図１に示した目地構造によって連結された水路の斜視図、図３は図１に示した目地材の断面図、図４は図３に示した目地材の潰れた状態の断面図、図５は目地への目地材の挿入状況を表した斜視図である。
本実施形態に係る目地材１１は、例えば農業用の図２に示す水路１３等に代表される三面水路（トラフ型水路）に好適に用いることができる。この水路１３は、底部１５と、この底部１５の両端に立設された立ち上がり部（縦壁部）１７とからなるプレキャストコンクリート製のＵ字枠１９を接続してできた目地２１を、上記の目地材１１にて止水して構築される。
【００２２】
目地材１１は、少なくとも管本体部２３と、内部突条２５とを有する。管本体部２３は、弾性を有する素材からなり中空部２７を有して管状に形成される。内部突条２５は、管本体部２３の管内壁面２９から中空部２７に突出して管本体部２３の長手方向に沿って直線状に連続し、且つ管内壁面２９の円周方向に離間して複数設けられている。内部突条２５は、図例では８つのものが円周方向に略等間隔に設けられるが、これに限定されるものではない。また、内部突条２５は、図例のように、一対の傾斜辺で頂角を挟む断面三角形状部を有することが好ましい。後述の目地材１１が偏平に変形する際、対向する内部突条２５が相互に接近し、傾斜辺同士を摺接することにより相対位置を規制する作用が得られるからである。
【００２３】
内部突条２５の大きさや数などは、目地材１１の外径、内径に応じて決定されるものであるが、後述の噛み合い作用を有効に発現される点では、３〜２０個の複数、好ましくは４〜１５個で、周方向に略等間隔として設けられることが好ましい。また、目地材１１は、水密シール性のための反発弾性、後述の偏平への変形容易性から管本体部２３の厚みは、０．５〜１０ｍｍ、好ましくは１〜６ｍｍで、内径は、２〜３０ｍｍ、好ましくは３〜２５ｍｍとすることができる。
【００２４】
目地材１１は、管本体部２３の外周面３１に、外部突条３３の形成されることが好ましい。外部突条３３は、管本体部２３の長手方向に沿って直線状に連続し、且つ外周面３１の円周方向に離間して複数のものが設けられる。外部突条３３は、図例では８つのものが円周方向に等間隔に設けられるが、これに限定されるものではない。
【００２５】
また、目地材１１は、管本体部２３が、外部突条３３の形成される外周側の外周管壁部３５と、外周管壁部３５の内周側に一体に設けられ内部突条２５の形成される内周管壁部３７と、から構成することができる。そして、外周管壁部３５は水膨張性を有し、内周管壁部３７は非水膨張性を有する。なお、目地材１１は、管本体部２３が厚み方向に単一層で形成され、その素材が水膨張材のみよりなるもの、或いは非水膨張材のみよりなるものであってもよい。このような構成においても、中空部２７を有すること、内部突条２５を有することは必須となる。また、外周管壁部３５と内周管壁部３７の厚みの比率は、２０／８０〜７０／３０とすることができる。
【００２６】
図１に示すように、目地材１１を用いた目地構造は、隣接するＵ字枠１９の間に形成される目地２１に、内部奥側より下層樹脂発泡材３９、目地材１１、上層樹脂発泡材４１が順に挟入される。下層樹脂発泡材３９よりも下方の目地２１には不図示の既設目地材が充填されている。下層樹脂発泡材３９及び上層樹脂発泡材４１は、バックアップ材としての機能を有し、例えばポリエチレン樹脂発泡バックアップ材等を好適に用いることができる。
【００２７】
上層樹脂発泡材４１より上方の目地２１の開放側にはシール材４３が充填される。シール材４３は、一液硬化型または二液硬化型のシリコーン系シール材、またはウレタン系シール材よりなり、好ましくは変成シリコーン系シール材とされる。なお、ウレタン系シール材で構成する場合、耐候性を向上させるために、塗膜を設けることも可能である。
【００２８】
次に、上記構成を有する目地材１１を用いた水路１３の目地施工方法を説明する。
水路１３の目地構造を施工するには、先ず、土嚢にて上流水路の取り込みを閉鎖し、施工箇所の水路１３を乾燥させる。目地施工箇所の状況確認を行った後、施工の妨げとなる草・木・土、既設目地の除去を行う。また、既設目地に損傷箇所が存在する場合には補修を行う。
【００２９】
バーナー等を使用して施工箇所となる目地近傍の下地を乾燥処理する。目地２１の下層部へ下層樹脂発泡材３９を設置する。次に、油性下地調整材として変成シリコーン系接着材４５を使用して油性プライマー処理を行う。次いで、目地内へ目地材１１を空隙のないように設置する。
【００３０】
目地材１１の目地２１への挟入時には、図４に示すように、中空部２７を潰し、空間をできる限り無くすことによって目地材１１を偏平な略帯板状態に変形させる。この変形は、中空部２７の一端に栓をして、他端からポンプでエアを抜く。すなわち、真空引きを行うことで偏平に変形を促し、その状態で図５に示すように目地内に挟入する。目地材１１は、目地内への装着後に、ポンプ及び栓を取り除くことで中空部２７を開放して図１に示すように形状復元を行い、目地内への設置を行う。このような真空引きの工程を採用することで、目地内への目地材１１の挟入作業を連続して行なえ、容易且つ確実なものとすることができる。そして、目地材１１は、ゴム特有の反発力と水膨張性能による体積増加により止水性を確保することになる。
【００３１】
次いで、目地材１１の上に手作業にて上層樹脂発泡材４１を設置する。目地２１を挟む隣接Ｕ字枠の縁部のそれぞれに、マスキングテープを貼着する。毛刷毛等によりプライマー処理を行った後、目地２１の開放側にシリコンシーラント、すなわちシール材４３を設置する。シール材４３としては、変成シリコーン系シーリング材、或いはウレタンシーリング材等を用いる。次いで、硬化前に、余分なシール材４３を、マスキングテープの表面と同一面とする表面処理にて除去する。
【００３２】
シール材４３が所定の硬度に硬化した後、両側のマスキングテープを剥離することで、目地２１に充填したシール材４３を縦壁部１７の内面と同一平面に形成して、目地施工方法を完了する。
【００３３】
このように、目地材１１を用いた目地構造では、複数のＵ字枠１９を接続してできた目地２１の内部奥側より、下層樹脂発泡材３９、目地材１１、上層樹脂発泡材４１が順に挟入され、目地２１の開放側にシール材４３が充填される。
【００３４】
次に、上記した目地材１１の作用を説明する。
目地材１１は、中空部２７の一端に栓をして、他端からポンプでエアを抜いて真空引きすることで、管内壁面２９が密着して、図４に示したように、管本体部２３が偏平に潰れる。管本体部２３は、ある１か所から、伝播するように連続して偏平に変形する。この際、接近する管内壁面２９は、対向面に設けられている内部突条２５が互いに噛み合って、乗り越えず、滑らずに密着する。つまり、管本体部２３を潰した際に、内部突条２５同士が引っ掛かって、管内壁面２９が湾曲面の状態から略平面同士となって対向し略接触しあい、内部突条２５の形成方向である連続する長手方向に沿い、よじれが抑止される。その結果、管本体部２３は、偏平変形が連続して伝播し、よじれの無い綺麗な短冊状に変形される。
【００３５】
また、目地材１１では、管本体部２３の外周面３１に、長手方向に沿って連続して形成された外部突条３３が、外周面３１の円周方向に複数設けられている。目地材１１は、図５に示すように、管本体部２３が偏平に潰されて目地２１に挿入された後、管本体部２３から突出した外部突条３３が目地２１の奥行き方向で複数段で目地内面に密着する。これにより、目地材１１と目地２１との間を通過しようとする水は、障壁となった複数段の外部突条３３によって浸入が阻止されるようになる。この結果、目地材１１と目地２１との間の止水性が高まる。
【００３６】
また、目地材１１では、外周管壁部３５が水膨張性を有する水膨張材からなることで、目地２１に挿入した目地材１１の外周管壁部３５に水が接すると、外周管壁部３５が吸水によって自己膨張する。これにより、目地２１の変動によって発生した空隙を閉塞して、止水性を高めることができる。目地２１が開いて水が浸入しても、外周管壁部３５が吸水膨張による体積増加によって開いた目地２１を閉塞し、止水機能を向上させることができる。また、内周管壁部３７が非水膨張性を有する素材からなることで、水の接触によっても内周管壁部３７は自己膨張せず、内部突条同士の安定的な噛み合わせを可能にする。
【００３７】
そして、目地材１１を用いた目地構造では、目地材１１が、中空部２７を有する管状に形成されるので、比較的幅の広い目地２１であっても、中空部２７を変形させて目地幅の拡縮に柔軟に対応できる。エア抜きにより中空部２７を潰して目地材１１を目地２１に挿入する際、目地材１１がよじれずに綺麗な偏平に変形するので、容易な作業で、確実な目地材１１の挿入が実現する。
【００３８】
従って、本実施形態に係る目地材１１によれば、管状の中空部２７をエア抜きによって潰す際に、よじれの生じない偏平に潰すことができ、その結果、目地２１への目地材挿入作業を容易にできる。
【００３９】
また、本実施形態に係る目地構造によれば、連続する異なる幅の目地２１を塞ぐことができる。また、目地材１１の挿入作業を容易にできる。
【符号の説明】
【００４０】
１１…目地材
１３…水路
１９…Ｕ字枠
２１…目地
２３…管本体部
２５…内部突条
２７…中空部
２９…管内壁面
３１…外周面
３３…外部突条
３５…外周管壁部
３７…内周管壁部
３９…下層樹脂発泡材
４１…上層樹脂発泡材
４３…シール材
【図１】
2014145234.tif 000003
【図２】
2014145234.tif 000004
【図３】
2014145234.tif 000005
【図４】
2014145234.tif 000006
【図５】
2014145234.tif 000007